(57)【要約】【課題】  移動局に対するＶｏＬＴＥ着信があった場合に、ＶｏＬＴＥ着信の呼損を未然に防止する。【解決手段】  移動通信システムは、第１の無線アクセス方式と第２の無線アクセス方式の双方に対応する移動局と、前記第１の無線アクセス方式における第１の移動管理装置と、前記第２の無線アクセス方式における第２の移動管理装置と、前記移動局に対する呼を制御する呼制御装置と、を含み、前記呼制御装置は、前記移動局に対して前記第１の無線アクセス方式での音声通話の着信があった場合に、前記移動局が前記第１の無線アクセス方式の音声通話サービスを提供する第１エリア内の特定のエリアに在圏する場合、または前記第１の移動管理装置もしくは前記第２の移動管理装置における前記移動局の最終アクセス時刻が正常に取得されない場合は、前記移動局に対する前記音声通話を前記第２の無線アクセス方式で着信させる。【選択図】図１
2015167285.tif 000002
【特許請求の範囲】
【請求項１】
第１の無線アクセス方式と第２の無線アクセス方式の双方に対応する移動局と、
前記第１の無線アクセス方式における第１の移動管理装置と、
前記第２の無線アクセス方式における第２の移動管理装置と、
前記移動局に対する呼を制御する呼制御装置と、
を含み、
前記呼制御装置は、前記移動局に対して前記第１の無線アクセス方式での音声通話の着信があった場合に、前記移動局が前記第１の無線アクセス方式の音声通話サービスを提供する第１エリア内の特定のエリアに在圏する場合、または前記第１の移動管理装置もしくは前記第２の移動管理装置における前記移動局の最終アクセス時刻が正常に取得されない場合は、前記移動局に対する前記音声通話を前記第２の無線アクセス方式で着信させることを特徴とする移動通信システム。
【請求項２】
前記呼制御装置は、前記第１の移動管理装置と前記第２の移動管理装置に前記移動局の最終アクセス時刻を問い合せ、
前記第１の移動管理装置からの応答に、前記移動局が前記特定のエリアに在圏することを示すフラグ情報または前記第２の無線アクセス方式を指定する情報が含まれている場合は、前記第１の移動管理装置での前記最終アクセス時刻の方が、前記第２の移動管理装置での前記最終アクセス時刻よりも新しい場合でも、前記音声通話を前記第２の無線アクセス方式で着信させることを特徴とする請求項１に記載の移動通信システム。
【請求項３】
前記特定のエリアは、前記第１エリア内のフェムトセル、または前記第１エリア内で前記第１の無線アクセス方式の前記音声通話サービスの提供が規制されるエリアであることを特徴とする請求項２に記載の移動通信システム。
【請求項４】
前記呼制御装置は、前記第１の移動管理装置と前記第２の移動管理装置に前記移動局の最終アクセス時刻を問い合わせ、
前記第１の移動管理装置もしくは前記第２の移動管理装置から応答がない場合、前記第１の移動管理装置もしくは前記第２の移動管理装置からの応答に前記最終アクセス時刻が含まれていない場合、または、前記第１の移動管理装置もしくは前記第２の移動管理装置からの応答に含まれる前記最終アクセス時刻の値が正常値でない場合は、前記音声通話を前記第２の無線アクセス方式で着信させることを特徴とする請求項１に記載の移動通信システム。
【請求項５】
移動通信システムにおいて、第１の無線アクセス方式と第２の無線アクセス方式の双方に対応する移動局への呼を制御する呼制御装置であって、
前記第１の無線アクセス方式における第１の移動管理装置と、前記第２の無線アクセス方式における第２の移動管理装置のそれぞれに前記移動局の最終アクセス時刻を問い合わせる時刻情報判定部と、
前記移動局に対して前記第１の無線アクセス方式での音声通話の着信があった場合に、前記第１の移動管理装置からの第１応答及び前記第２の移動管理装置からの第２応答を参照し、前記移動局が前記第１の無線アクセス方式の音声通話サービスを提供する第１エリア内の特定のエリアに在圏する場合、または前記第１の移動管理装置もしくは前記第２の移動管理装置における前記移動局の最終アクセス時刻が正常に取得されない場合は、前記移動局に対する前記音声通話を前記第２の無線アクセス方式で着信させる呼処理部と、
を有することを特徴とする呼制御装置。
【請求項６】
前記呼処理部は、前記第１の移動管理装置からの前記第１応答に、前記移動局が前記特定のエリアに在圏することを示すフラグ情報または前記第２の無線アクセス方式を指定する情報が含まれている場合は、前記時刻情報判定部において、前記第１の移動管理装置での前記最終アクセス時刻の方が、前記第２の移動管理装置での前記最終アクセス時刻よりも新しいと判断される場合でも、前記音声通話を前記第２の無線アクセス方式で着信させることを特徴とする請求項５に記載の呼制御装置。
【請求項７】
前記特定のエリアは、前記第１エリア内のフェムトセル、または前記第１エリア内で前記第１の無線アクセス方式の前記音声通話サービスの提供が規制されるエリアであることを特徴とする請求項６に記載の呼制御装置。
【請求項８】
前記呼処理部は、前記第１応答もしくは前記第２応答を取得できない場合、前記第１応答もしくは前記第２応答に前記最終アクセス時刻が含まれていない場合、または、前記第１応答もしくは前記第２応答に含まれる前記最終アクセス時刻の値が正常値でない場合は前記音声通話を前記第２の無線アクセス方式で着信させることを特徴とする請求項５に記載の呼制御装置。
【請求項９】
第１の無線アクセス方式と第２の無線アクセス方式の双方に対応する移動局と、前記移動局に対する呼を制御する呼制御装置とを含む移動通信システムで用いられ、前記第１の無線アクセス方式における前記移動局の移動情報を管理する移動管理装置であって、
前記移動局による最終アクセス時刻を管理する時刻情報管理部と、
前記移動局が在圏するエリアに関する情報を管理するエリア情報管理部と、
前記呼制御装置からの問い合わせに応じて前記移動局の前記最終アクセス時刻を応答する制御部と、
を有し、前記制御部は、前記エリア情報管理部を参照して、前記移動局が前記第１の無線アクセス方式の音声通話サービスを提供する第１エリア内の特定のエリアに在圏する場合は、前記呼制御装置に対する応答の中に、所定のフラグ情報または前記第２の無線アクセス方式を指定する情報を含めることを特徴とする移動管理装置。
【請求項１０】
前記制御部は、前記移動局が前記第１エリア内のフェムトセルに在圏する場合は、前記応答に第１フラグを含め、前記移動局が前記第１エリア内で前記第１の無線アクセス方式の前記音声通話サービスの提供が規制されるエリアに位置する場合は、前記応答に第２フラグを含めることを特徴とする請求項９に記載の移動管理装置。
【発明の詳細な説明】
【技術分野】
【０００１】
本発明は移動通信の分野に関し、特に、ネットワークでの呼損を防止する呼制御技術に関する。
【背景技術】
【０００２】
移動通信の方式は、第三世代（３Ｇ）からＬＴＥ（Long Term Evolution）へ移行してきている。ＬＴＥで提供される音声通話サービスは、ＶｏＬＴＥ（Voice over LTE）と呼ばれる。従来の３Ｇの回線交換方式の無線アクセスシステムと、ＬＴＥのパケット交換方式の無線アクセスシステムの双方を収容可能なシステムも存在する。このようなシステムでは移動局（ＵＥ：User Equipment）に対して音声通話を提供するドメインを選択可能にするＴ−ＡＤＳ（Terminated-Access Domain Selection）が用いられている（たとえば、非特許文献１参照）。
【０００３】
Ｔ−ＡＤＳは、ＵＥに対するＶｏＬＴＥ着信があったときに、そのＵＥがＬＴＥ（パケット交換）システムに在圏するか、３Ｇ（回線交換）システムに在圏するかを決定する。ＬＴＥのＭＭＥ（Mobility Management Entity）と、３ＧのＳＧＳＮ（Serving General packet radio service Support Node）にそれぞれ記録されているユーザの最終アクセス時刻を比較することによって、着信に対する無線アクセス種別（ＲＡＴ：Radio Access Technology）を判断する。
【０００４】
なお、ＬＴＥ上でＶｏＩＰ（Voice over Internet Protocol）サービスが直接提供されていない場合でも、従来の音声通話サービスをユーザに提供するために、音声発着信時に３Ｇに切り替えるＣＳフォールバック（ＣＳＦＢ：Circuit Switched Fallback）の機能が３ＧＰＰで規定されている（たとえば、非特許文献２参照）。
【先行技術文献】
【非特許文献】
【０００５】
【非特許文献１】3GPP TS23.292
【非特許文献２】3GPP TS23.272 V.8.4.0: "Circuit Switched Fallback in Evolved Packet System; Stage 2," 2009"
【発明の概要】
【発明が解決しようとする課題】
【０００６】
Ｔ−ＡＤＳは、ＶｏＬＴＥサービスの提供が可能なエリア（「ＬＴＥ（ＶｏＬＴＥ対応）エリア」と称する）であること、及びＭＭＥとＳＧＳＮにあるユーザプロファイルの最終アクセス時刻が正常に取得されていること、を前提とする。
【０００７】
ＵＥがＬＴＥエリア内にありながらＶｏＬＴＥサービスの提供を受けることのできないエリア（「ＬＴＥ（ＶｏＬＴＥ非対応）エリア」と称する）に在圏する場合、ＭＭＥへの最終アクセス時刻がＳＧＳＮの最終アクセス時刻よりも新しいと、Ｔ−ＡＤＳ制御ではＶｏＬＴＥ着信を行ってしまう。実際は、ＵＥはＬＴＥ（ＶｏＬＴＥ非対応）エリアにあるため、呼損となる。
【０００８】
また、ＵＥの最終アクセス時刻が、信号異常や取得値異常などの理由で正常に取得されない場合は、着信に対するＲＡＴを決定することができない。着信のための優先ＲＡＴを機械的に決めて着信制御を行うことも考えられるが、ＵＥが実際に優先ＲＡＴに在圏していない可能性があり、着信が呼損になる。
【０００９】
そこで、ＶｏＬＴＥ着信の呼損を防止することのできる呼制御技術を提供することを課題とする。
【課題を解決するための手段】
【００１０】
上記課題を解決するために、ＵＥに対するＶｏＬＴＥ着信があったときに、ＵＥの在圏状況や最終アクセス時刻の取得状況を判断し、ＵＥがＬＴＥエリア内の特定エリアに在圏する場合や、最終アクセス時刻が正常に取得できない場合は、３Ｇに着信させる。
【００１１】
より具体的には、本発明のひとつの態様では、移動ネットワークシステムは、
第１の無線アクセス方式と第２の無線アクセス方式の双方に対応する移動局と、
前記第１の無線アクセス方式における第１の移動管理装置と、
前記第２の無線アクセス方式における第２の移動管理装置と、
前記移動局に対する呼を制御する呼制御装置と、
を含み、
前記呼制御装置は、前記移動局に対して前記第１の無線アクセス方式での音声通話の着信があった場合に、前記移動局が前記第１の無線アクセス方式の音声通話サービスを提供する第１エリア内の特定のエリアに在圏する場合、または前記第１の移動管理装置もしくは前記第２の移動管理装置における前記移動局の最終アクセス時刻が正常に取得されない場合は、前記移動局に対する前記音声通話を前記第２の無線アクセス方式で着信させることを特徴とする移動通信システム。
【発明の効果】
【００１２】
ＵＥがＬＴＥエリア内でＶｏＬＴＥサービスを受けられない特定エリアに存在する場合や、最終アクセス時刻が正常に取得されない場合でも、ＶｏＬＴＥ着信の呼損を防止することができる。
【図面の簡単な説明】
【００１３】
【図１】第１実施形態の移動通信システムの概略図である。
【図２】ＭＭＥにおけるフラグ処理のフローチャートである。
【図３】ＭＭＥにおける問い合わせ応答処理のフローチャートである。
【図４】ＨＳＳにおける着信ＲＡＴ判定のフローチャートである。
【図５】第１実施形態の呼制御処理のシーケンス図である。
【図６】実施形態のＭＭＥの概略構成図である。
【図７】第２実施形態の移動通信システムの概略図である。
【図８】ＨＳＳの着信ＲＡＴ判定のフローチャートである。
【図９】最終アクセス時刻が正常に取得されているか否かの判断例を示す図である。
【図１０】実施形態のＨＳＳの概略構成図である。
【発明を実施するための形態】
【００１４】
＜第１実施形態＞
図１は、第１実施形態の移動通信システムの概略図である。第１実施形態では、ＵＥがＶｏＬＴＥサービス提供エリア内の特定エリアに在圏する場合の呼損を防止する。
【００１５】
移動局（ＵＥ）１０−２は、ＬＴＥの音声通話サービスを提供するＬＴＥ（ＶｏＬＴＥ対応）エリア１内にあるＬＴＥ（ＶｏＬＴＥ非対応）エリア２に在圏する。ＬＴＥ（ＶｏＬＴＥ非対応）エリア２は、ＶｏＬＴＥサービスに対応していないHome eNodeB（フェムトセル）の通話エリアや、ＬＴＥ無線アクセスに規制がかかっているエリアなどである。
【００１６】
着呼側のＩＭＳ（IP Multimedia Subsystem）装置２０に、ＵＥ１０−２に対する着信があると（手順(0)）、着信ＲＡＴに応じた音声提供ドメインを確定するためにＴ−ＡＤＳ（Terminated-Access Domain Selection）が起動され、ＨＳＳ（Home Subscriber Server）３０に対して、ＵＥ１０−２の最終ＲＡＴの問い合わせがなされる（手順(1)）。
【００１７】
ＩＭＳ装置２０は、アプリケーションサーバ（ＡＳ）２０ａと、呼セッション制御機能（ＣＳＣＦ：Call Session Control Function）２０ｂ〜２０ｄを含む。呼セッション制御機能は、ＨＳＳ３０への問い合わせを行うＩ−ＣＳＣＦ（Interrogating CSCF）サーバ２０ｂ、呼のセッション状態を管理するＳ−ＣＳＣＦ（Serving CSCF）サーバ２０ｃ、及び移動局とインタフェースするＰ−ＣＳＣＦ（Proxy CSCF）サーバ２０ｄを含む。アプリケーションサーバ２０ａは、多様な加入者サービスを提供するとともに、ＶｏＬＴＥ対応のＵＥ１０−２への着信時に、Ｔ−ＡＤＳを起動する。Ｓ−ＣＳＣＦサーバ２０ｃは、アプリケーションに応じたセッション制御を行う。図１では、便宜上、ＡＳ２０ａ、Ｉ−ＣＳＣＦ２０ｂ、Ｓ−ＣＳＣＦ２０ｃ、及びＰ−ＣＳＣＲ２０ｄを一つの装置として描いているが、必ずしも一体に構成される必要はなく、個別に配置されてもよい。
【００１８】
ＨＳＳ３０はＴ−ＡＤＳの起動に応じ、ＬＴＥの在圏局であるＭＭＥ５０と、３Ｇの在圏局であるＳＧＳＮ６０にＵＥ１０−２の最終アクセス時刻を問い合わせる（手順(2)）。ＨＳＳ３０は、問い合わせに対する応答に基づいてＵＥ１０−２の最新ＲＡＴを決定する（手順(3A)）。
【００１９】
従来は、最新ＲＡＴの決定は最終アクセス時刻の比較だけに基づいて行われていた。実施形態ではＲＡＴ判定に際して、ＵＥ１０−２がＶｏＬＴＥサービスの提供が可能なエリア（「ＬＴＥ（ＶｏＬＴＥ対応）エリア」）に存在するか否かの判断を行う。ＶｏＬＴＥサービスの提供が可能なエリアか否かの判断は、ＭＭＥ５０が管理する在圏情報に基づいて行う。
【００２０】
図１の例では、ＳＧＳＮ６０に記録されているＵＥ１０−２の最終アクセス時刻は１０時であり、ＭＭＥ５０に記録されているＵＥ１０−２の最終アクセス時刻は１０時５分である。最終アクセス時刻の比較だけに基づくと、ＶｏＬＴＥ着信となる。
【００２１】
しかし、ＵＥ１０−２はＬＴＥ（ＶｏＬＴＥ対応）エリア１内のＬＴＥ（ＶｏＬＴＥ非対応）エリア２に位置する。この場合、ＭＭＥ５０が管理するＵＥ１０−２のユーザプロファイルには、ＶｏＬＴＥサービス不可フラグ５ａまたは５ｂが立てられる（ＯＮにされる）。一例として、ＵＥ１０−２がＬＴＥ非対応のフェムトセルに在圏する場合は５ａがＯＮにされる。このフラグを便宜上、「Ｈ」フラグと称する。ＵＥ１０−２が、ＬＴＥ無線アクセスが規制されるエリアに位置する場合はフラグ５ｂがＯＮにされる。このフラグを便宜上、「Ｒ」フラグと称する。
【００２２】
「Ｈ」フラグ５ａは、ＵＥ１０−２の位置登録の際にｅＮＢ（eNodeB）（不図示）からの情報に基づいてＯＮにされる。「Ｒ」フラグ５ｂは、ＭＭＥ５０が保守運用システム（ＯＰＳ：Operation System）の指示に基づいて規制コマンドを投入する際にＯＮにされ、規制解除の際にＯＦＦにされる。
【００２３】
ＨＳＳ３０は、ＭＭＥ５０からの回答に少なくとも一つのＶｏＬＴＥサービス不可フラグが含まれる場合、ＳＧＳＮ（３Ｇ）６０の最終アクセス時刻がＭＭＥ５０の最終アクセス時刻よりも古い場合でも、従来の３Ｇ回線交換網にフォールバックさせる（ＣＳＦＢ）。ＨＳＳ３０は、最終ＲＡＴに３Ｇを設定して、ＩＭＳ装置２０のＡＳ２０ａにＴ−ＡＤＳ応答を返す（手順(4)）。
【００２４】
ＩＭＳ装置２０は、Ｔ−ＡＤＳ応答から最終ＲＡＴは３Ｇであると認識して、ＭＳＣ（Mobile Switching Center）４０経由で３Ｇに着信させる（手順(5)）。
【００２５】
ＭＭＥ５０からの回答にＶｏＬＴＥサービス不可フラグ５ａ、５ｂがＯＮになっていない場合は、ＨＳＳ３０は、ＭＭＥ５０の最終アクセス時刻とＳＧＳＮ６０の最終アクセス時刻を比較して、着信ＲＡＴを決定する。なお、フラグの種類は「Ｈ」フラグ５ａ、「Ｒ」フラグ５ｂに限定されず、ＶｏＬＴＥサービスの提供が制限される任意の場合に合わせてフラグを用意してもよい。
【００２６】
この方法により、ＵＥ１０−２がＬＴＥ（ＶｏＬＴＥ対応）エリア１内に位置するにもかかわらずＶｏＬＴＥサービスの提供を受けられない場合の呼損を防止することができる。
【００２７】
図２は、ＭＭＥ５０におけるフラグ処理のフローチャートである。ＵＥ１０−２についてＬＴＥの位置登録が行われる（Ｓ１１）。ＵＥ１０−２がＬＴＥに対応していないフェムトセルに在圏する場合は（Ｓ１２でＹ（ＹＥＳ））、フェムトセル在圏を示すフラグ（「Ｈ」フラグ５ａ）がＯＮにされる（Ｓ１３）。また、ＵＥ１０−２がＬＴＥ無線アクセスが規制されるエリアに在圏する場合は（Ｓ１４でＹＥＳ）、「Ｒ」フラグ５ｂがＯＮにされる（Ｓ１５）。「Ｈ」フラグの判定ステップ（Ｓ１２）と、「Ｒ」フラグの判定ステップ（Ｓ１４）は、同時に行ってもよいし、どちらを先に行ってもよい。
【００２８】
図３は、ＭＭＥ５０における問い合わせ応答処理のフローチャートである。ＭＭＥ５０は、ＨＳＳ３０からＵＥ１０−２の最終アクセス時刻に関する問い合わせを受信する（Ｓ２１）。ＭＭＥ５０は、ＵＥ１０−２がフェムトセルに在圏するか否かを判断し（Ｓ２２）、フェムトセル在圏の場合は（Ｓ２２でＹＥＳ）、ＨＳＳ３０に対して、ＵＥ１０−２の最終アクセス時刻とフラグ情報（「Ｈ」フラグのＯＮ／ＯＦＦに関する情報、「Ｒ」フラグのＯＮ／ＯＦＦに関する情報その他のフラグのＯＮ／ＯＦＦに関する情報）を返す（Ｓ２４）。フェムトセル在圏でない場合は（Ｓ２２でＮ（ＮＯ））、ＬＴＥ無線アクセスの規制を受けているか否かを判断する（Ｓ２３）。ＬＴＥ無線アクセスに規制が設けられている場合は（Ｓ２３でＹＥＳ）、ＨＳＳ３０に対して、ＵＥ１０−２の最終アクセス時刻とフラグ情報を返す（Ｓ２４）。
【００２９】
Ｓ２２とＳ２３の判断は順不同または同タイミングであってもよい。また、Ｓ２４でフラグ（「Ｈ」フラグ５ａまたは「Ｒ」フラグ５ｂ）がＯＮになっている場合は、最終アクセス時刻の返却は必須ではなく、フラグＯＮの情報のみをＨＳＳ３０に返却してもよい。あるいは、フラグ情報に替えて、ＣＳＦＢあるいはＲＡＴ（３Ｇ）に関する情報のみを返却してもよい。
【００３０】
ＬＴＥ無線アクセスが規制されていない場合は（Ｓ２３でＮＯ）、ＵＥ１０−２の最終アクセス時刻をＨＳＳ３０に返却する（Ｓ２５）。
【００３１】
このように、ＭＭＥ５０はＨＳＳ３０からの最終アクセス時刻の問い合わせに対して、フラグ情報に応じた応答を返すことで、ＨＳＳ３０での着信ＲＡＴ判断の精度を向上することができる。
【００３２】
図４は、ＨＳＳ３０における着信ＲＡＴ判定のフローチャートである。ＭＭＥ５０とＳＧＳＮ６０の双方から、ＵＥ１０−２の最終アクセス時刻に関する情報を取得する（Ｓ３１）。ＭＭＥ５０からの応答に何らかのフラグ情報が含まれるか否かを判断する（Ｓ３２及びＳ３３）。たとえば、フェムトセル在圏を示す「Ｈ」フラグ５ａがＯＮになっている場合（Ｓ３２でＹＥＳ）や、ＬＴＥ無線アクセス規制を示す「Ｒ」フラグ５ｂがＯＮになっている場合（Ｓ３３でＹＥＳ）は、３ＧにＣＳＦＢさせる（Ｓ３４）。この場合は、ＭＳＣ４０を介して３Ｇ装置メインに着信される。ＭＭＥ５０からの応答にフラグ情報が含まれていない場合は（Ｓ３２及びＳ３３でＮＯ）、最終アクセス時刻の比較により、３Ｇ着信かＬＴＥ着信かを判定して、着信ＲＡＴを対応する無線アクセス種別に設定する（Ｓ３５）。
【００３３】
図５は、実施形態の呼制御処理のシーケンス図である。ＵＥ１０−１からＵＥ１０−２に対する呼が発せられた場合を例にとって説明する。ＵＥ１０−１から発せられた呼は、発呼側のＰ−ＣＳＣＦで受信され、発呼側のＩ−ＣＳＣＦを介して、着呼側のＩ−ＣＳＣＦ２０ｂ及びＡＳ２０ａで受信される（Ｓ４２）。ＡＳ２０ａとＩ−ＣＳＣＦ２０ｂを含むＩＭＳ装置２０から、ＨＳＳ３０に対してＴ−ＡＤＳの起動及び最終ＲＡＴの問い合わせが送信され（Ｓ４３）、Ｔ−ＡＤＳ処理が開始される（Ｓ４５）。
【００３４】
一方、ＵＥ１０−２が在圏するｅＮＢを収容するＭＭＥ５０では、フラグ処理が行われている。ＵＥ１０−２がフェムトセル在圏の場合に「Ｈ」フラグ５ａがＯＮにされ（Ｓ１３）、ＯＰＳからＬＴＥ無線アクセス規制が指示される場合は、「Ｒ」フラグ５ｂがＯＮにされる（Ｓ１４）。
【００３５】
Ｔ−ＡＤＳ処理において、ＨＳＳ３０は、３Ｇシステムの移動管理装置であるＳＧＳＮ６０に最終アクセス時刻を問い合わせ（Ｓ４６）、ＳＧＳＮ６０から最終アクセス時刻を取得する（Ｓ４７）。ＨＳＳ３０はまた、ＬＴＥ無線アクセスシステムの移動管理装置であるＭＭＥ５０に最終アクセス時刻を問い合わせる（Ｓ４８）。
【００３６】
ＭＭＥ５０は、ＵＥ１０−２に関してＶｏＬＴＥサービス不可フラグ（「Ｈ」フラグ５ａ、「Ｒ」フラグ５ｂなど）がＯＮになっているか否かを判断する（Ｓ２２、Ｓ２３）。ＭＭＥ５０は、一つでもＶｏＬＴＥサービス不可フラグがＯＮになっている場合は、ＨＳＳ３０にフラグ情報と最終アクセス時刻を返却する（Ｓ５１）。あるいは、最終アクセス時刻のみを返却してもよいし、一律３Ｇ接続として着信ＲＡＴのみを返却してもよい。ＶｏＬＴＥサービス不可フラグがＯＮになっていない場合は、ＭＭＥ５０はＨＳＳ３０に最終アクセス情報を返却する（Ｓ５２）。
【００３７】
ＨＳＳ３０は、ＭＭＥ５０とＳＧＳＮ６０からの応答に基づいて、ＩＭＳ装置２０にＴ−ＡＤＳ応答を返す（Ｓ５３）。ＩＭＳ装置２０は、着信ＲＡＴが３Ｇの場合は、ＭＳＣ４０を介してＣＳＦＢさせ（Ｓ５４、Ｓ５５）、３ＧでＵＥ１０−２に着信させる（Ｓ５６）。着信ＲＡＴがＬＴＥの場合は、ＬＴＥでＵＥ１０−２に着信させる。
【００３８】
図６は、ＭＭＥ５０の概略構成図である。ＭＭＥ５０は、通信部５１、時刻情報管理部５２、フェムトセル在圏管理部５３、規制情報管理部５４、及び制御部５５を有する。通信部５１は、所定のインタフェースを介してＨＳＳ３０と通信を行う。また、別のインタフェースを介して図示しないｅＮＢと通信を行う。
【００３９】
時刻情報管理部５２は、ＬＴＥにおける各ＵＥの最終アクセス時刻を管理する。フェムトセル在圏管理部５３は、ｅＮＢからの位置登録要求に基づいて、ＵＥがＶｏＬＴＥサービスに対応していないフェムトセルに在圏中か否かを管理し、ＵＥがフェムトセルに在圏する場合は、このＵＥの最終アクセス時刻の記録の「Ｈ」フラグをＯＮにする。規制情報管理部５４は、ＯＰＳから供給される規制情報を管理し、ＵＥがＬＴＥ無線アクセスの規制を受けるエリアに位置する場合は、最終アクセス時刻の記録の「Ｒ」フラグをＯＮにする。
【００４０】
制御部５５は、ＨＳＳ３０からの最終アクセス時刻問い合わせに応じて、最終アクセス時刻を応答する。フラグがＯＮになっている場合は、最終アクセス情報に加えてフラグ情報を送信してもよいし、フラグ情報のみを送信してもよい。あるいはフラグがＯＮになっているときは一律に３Ｇとする着信ＲＡＴを送信してもよい。
【００４１】
なお、図示はしないが、ＭＭＥ５０は、ＬＴＥ提供エリアと３Ｇ提供エリアが重複する場合に、ＬＴＥの位置登録エリアと、３Ｇの位置登録エリアとのマッピング情報を有していてもよい。
＜第２実施形態＞
図７は、第２実施形態の移動通信システムの概略図である。第２実施形態では、ＭＭＥ５０、あるいはＳＧＳＮ６０から最終アクセス時刻が正常に取得されない場合の呼損を防止する。
【００４２】
ＩＭＳ装置２０にＵＥ１０−２に対する着信があると（手順(0)）、着信ＲＡＴに応じた音声提供ドメインを確定するためにＴ−ＡＤＳが起動され、ＨＳＳ３０に対してＵＥ１０−２の着信ＲＡＴの問い合わせが送信される（手順(1)）。
【００４３】
ＨＳＳ３０は、Ｔ−ＡＤＳの起動に応じて、ＭＭＥ５０とＳＧＳＮ６０にＵＥ１０−２の最終アクセス時刻を問い合わせる（手順(2)）。最終アクセス時刻を取得したＨＳＳ３０は、最終アクセス時刻の取得に異常がないか否かを判断する（手順(3B)）。ＨＳＳ３０は、最終アクセス時刻の取得に異常がある場合は、着信ＲＡＴを３Ｇとする応答をＩＭＳ装置２０に返す。最終アクセス時刻の取得に異常がない場合は、ＭＭＥ５０とＳＧＳＮ６０の最終アクセス時刻を比較して、最新の無線アクセス時刻を着信ＲＡＴとする応答をＩＭＳ装置２０に返す（手順(4)）。
【００４４】
ＩＭＳ装置２０は、ＨＳＳ３０からのＴ−ＡＤＳ応答が３Ｇである場合は、ＣＳＦＢを実施して、ＵＥ１０−２に対する呼をＭＳＣ（Mobile Switching Center）４０経由で３Ｇに着信させる（手順(5)）。
【００４５】
手順３Ｂで、最終アクセス時刻の取得異常とは、たとえば、時刻（数値）が異常である場合、最終アクセス時刻情報の信号受信に異常がある場合、ＭＭＥ５０あるいはＳＧＳＮ６０から応答が得られない場合、などである。
【００４６】
これらの場合は、着信ＲＡＴを一律に３ＧとしてＣＳＦＢを実行することで、ＵＥ１０−２に対する呼損を防止することができる。ＬＴＥエリアは３Ｇの無線アクセスエリア３と地理的に重複するため、ＬＴＥエリア内にありながらＶｏＬＴＥサービスを受けられない場合（たとえば第１実施形態のＬＴＥ（ＶｏＬＴＥ非対応）エリア２に在圏するＶｏＬＴＥ場合など）でも、従来の回線交換網による音声通話サービスを受けることができる。
【００４７】
図８は、ＨＳＳ３０における着信ＲＡＴ判定のフローチャートである。着呼側のＡＳ２０ａからＴ−ＡＤＳの起動通知を受け取ると（Ｓ６１）、ＨＳＳ３０はＭＭＥ５０とＳＧＳＮ６０にＵＥ１０−２の最終アクセス時刻を問い合わせる（Ｓ６２）。
【００４８】
その後、ＨＳＳ３０は、最終アクセス時刻が正常に取得されているか否かを判断する（Ｓ６３）。最終アクセス時刻が正常に取得されている場合であって（Ｓ６３でＹＥＳ）、最終アクセス在圏局がＭＭＥ５０である場合、すなわちＭＭＥ５０での最終アクセス時刻の方が新しい場合は（Ｓ６４でＹＥＳ）、着信ＲＡＴにＬＴＥを設定する。最終アクセス時刻が正常に取得されている場合であって（Ｓ６３でＹＥＳ）、最終アクセス在圏局がＳＧＳＮ６０である場合は（Ｓ６６でＹＥＳ）、着信ＲＡＴに３Ｇを設定する。ステップＳ６４とＳ６６の判断は順不同である。
【００４９】
最終アクセス時刻が正常に取得されていない場合は（Ｓ６３でＮＯ）、一律に３Ｇ接続とする（Ｓ６８）。
【００５０】
図９は、図８のＳ６３の判定例を示す図である。ＨＳＳ３０は、Ｓ６２でＭＭＥ５０とＳＧＳＮ６０に最終アクセス時刻を問い合わせた後、問い合わせ先から応答があるか否かを判断する（Ｓ７１）。この判断は、所定の時間間隔で複数回繰り返してもよい。問い合わせ先から応答がない場合は（Ｓ７１でＮＯ）、一律に３Ｇ接続とする（Ｓ６８）。問い合わせ先から応答がある場合は（Ｓ７１でＹＥＳ）、応答の中にＵＥ１０−２の最終アクセス時刻が含まれているか否かを判断する（Ｓ７２）。応答中にＵＥ１０−２の最終アクセス時刻が含まれていない場合は（Ｓ７２でＮＯ）、一律に３Ｇ接続とする（Ｓ６８）。
【００５１】
応答中にＵＥ１０−２の最終アクセス時刻が含まれている場合は（Ｓ７２でＹＥＳ）、返却された時刻値が正常であるか否かを判断する（Ｓ７３）。最終アクセス時刻の値が正常でない場合は（Ｓ７３でＮＯ）、一律に３Ｇ接続とする（Ｓ６８）。たとえば、最終アクセス時刻の値が「９９時９９分」のようなありえない値である場合は、最終アクセス時刻値の異常と判断される。最終アクセス時刻値が正常の場合は（Ｓ７３でＹＥＳ）、Ｓ６４またはＳ６６で最終ＲＡＴを判断する。なお、Ｓ７１〜Ｓ７３の判断は順不同であり、これらの中の一部のみの判断であってもよいし、さらに判断基準を追加してもよい。
【００５２】
図１０は、ＨＳＳ３０の概略構成図である。ＨＳＳ３０は、通信部３１と、呼処理部３２と、加入者データベース部３３と、時刻情報判定部３４を有する。通信部３１は、所定のインタフェースを介してＭＭＥ５０やＳＧＳＮ６０と通信する。あるいは、ＳＧＳＮとＧＧＳＮ（Gateway General packet radio service Support Node）の統合装置であるｘＧＳＮ（serving/gateway General packet radio service Support Node）と通信を行ってもよい。通信部３１は、ＭＭＥ５０とＳＧＳＮ６０（またはｘＧＳＮ）に最終アクセス時刻の問い合わせを送信し、応答を受信する。
【００５３】
通信部３１はまた、別のインタフェースを介してＩＭＳ装置２０のＡＳ２０ａと通信する。ＡＳ２０ａからＴ−ＡＤＳの起動要求を受信し、判定結果である最終ＲＡＴを応答する。
【００５４】
呼処理部３２は、通信部３１を介して送受信される呼処理に関する情報を処理し、必要に応じてそれらの情報を加入者データベース部３３に格納する。時刻情報判定部３４は、ＭＭＥ５０の最終アクセス時刻や、ＳＧＳＮ６０（あるいはｘＧＳＮ）の最終アクセス時刻が正常に取得されているか否かを判断し、ＵＥ１０−２への着信のための最終ＲＡＴを判断する。この構成により、最終アクセス時刻の取得に異常がある場合でもＣＳＦＢされるので、呼損を防止することができる。
【００５５】
上述した第１実施形態と第２実施形態を組み合わせてもよい。たとえばＨＳＳ３０の時刻情報判定部３４は、第１実施形態のように、ＭＭＥ５０からの応答に含まれるフラグ情報の有無を判断してもよい。ＨＳＳ３０は、第１実施形態のエリア判断でＵＥ１０−２がＶｏＬＴＥエリア内に在圏すると判断した後に、第２実施形態の最終アクセス時刻の正常取得を判断してもよい。
【００５６】
ＭＭＥ５０とＳＧＳＮ６０（あるいはｘＧＳＮ）からの情報に基づく最終ＲＡＴの判断は、必ずしもＨＳＳ３０で行う必要はなく、ＭＭＥ５０やＡＳ２０ａで行ってもよい。ＨＳＳ３０の最終ＲＡＴ判断機能と、ＡＳ２０ａのＴ−ＡＤＳ制御機能を合わせて「呼制御装置」あるいは「呼制御装置」を構成してもよい。
【００５７】
第１実施形態と第２実施形態を通して、Ｔ−ＡＤＳ処理時に、在圏ＲＡＴ変更時のＩＳＲ（Idle mode Signaling Reduction）はＯＦＦにされていてもよい。
【符号の説明】
【００５８】
１  ＬＴＥ（ＶｏＬＴＥ対応）エリア
２  ＬＴＥ（ＶｏＬＴＥ非対応）エリア
３  ３Ｇの無線アクセスエリア
１０−２  移動局（ＵＥ）
２０  ＩＭＳ装置
２０ａ  アプリケーションサーバ（呼制御装置の一部）
３０  ＨＳＳ（呼制御装置の一部）
３１  通信部
３２  呼処理部
３４  時刻情報判定部
４０  ＭＳＣ
５０  ＭＭＥ（移動管理装置）
５１  通信部
５２  時刻情報管理部
５３  フェムトセル在圏管理部（エリア情報管理部）
５４  規制情報管理部（エリア情報管理部）
５５  制御部
６０  ＳＧＳＮ
Ｈ  フェムトセル在圏フラグ（第１フラグ）
Ｒ  規制フラグ（第２フラグ）
【図１】
2015167285.tif 000003
【図２】
2015167285.tif 000004
【図３】
2015167285.tif 000005
【図４】
2015167285.tif 000006
【図５】
2015167285.tif 000007
【図６】
2015167285.tif 000008
【図７】
2015167285.tif 000009
【図８】
2015167285.tif 000010
【図９】
2015167285.tif 000011
【図１０】
2015167285.tif 000012